(57)【要約】【課題】屋外で、かつ環境光を遮断することなく、また、実使用環境下における赤外信号光量の測定を可能とした赤外線投光量の測定方法を提供すること。【解決手段】赤外線、紫外線、可視光線等の複合した光線を含む環境光と、赤外線発光ダイオード等の検体から発する赤外信号光とを、光の波長と赤外信号周波数とに電気的に分離して赤外信号光のみを取り出し、その光量を測定する。【選択図】図１
2006098196.tif 000002
【特許請求の範囲】
【請求項１】
赤外線、紫外線、可視光線等の複合した光線を含む環境光と、赤外線発光ダイオード等の検体から発する赤外信号光とを、光の波長と赤外信号周波数とに電気的に分離して赤外信号光のみを取り出し、その光量を測定するようにしたことを特徴とする赤外線投光量の測定方法。
【請求項２】
環境光と赤外信号光を、赤外受光フォトダイオード又は赤外受光フォトトランジスタにて赤外信号用の赤外線のみを抽出し、これを電圧に変換して赤外信号光の光量を測定するようにしたことを特徴とする請求項１記載の赤外線投光量の測定方法。
【発明の詳細な説明】
【技術分野】
【０００１】
本発明は、赤外線投光量の測定方法に関し、特に、赤外線通信用として使用する赤外線発光ダイオード等の赤外線通信光量を、大光量の明るい環境光を遮断することなく、実使用環境下の屋外等において簡易に、かつ正確に測定できるようにした赤外線投光量の測定方法に関するものである。
【背景技術】
【０００２】
赤外線発光ダイオード（ＬＥＤ）等を使用し、赤外線により通信を行う機器が汎用されている。しかし、この赤外線光量が一定値以上でなければ安定した通信が行えない。また、用途の拡大に伴って、より光量の大きな赤外線発光ダイオード等の開発の必要性がある。そこで、赤外線通信に使用する赤外線発光ダイオード等の光量を光量測定器にて測定している。
【０００３】
ところで、赤外線による通信機器は、一般には明るい屋外などにて使用されることが多い。通信機器を使用する実使用環境下においては、太陽光や各種照明機器等の人工光による環境光が存在する。この環境光は赤外線のほか、紫外線、可視光線を含み、かつその光量は、赤外線信号の光量に比べ遙かに大きく、従来の光量測定器では明るい屋外において、使用する赤外線発光ダイオード等の赤外信号の光量変化を測定することができないため、明るい環境光を遮断した、特に限定されるものではないが、例えば、暗室で測定するようにしている。
【０００４】
しかしながら、従来の光量測定器は、態様や人工光などの環境光と、赤外線発光ダイオード等の赤外信号光とを分離する必要があるため、この明るい環境光を遮断した暗室で測定するようにしているから、測定用に特別な設備投資を要し、かつ光量測定を安価にして、かつ簡易に行うことができないという問題があった。
また、環境光を遮断した暗室で測定しているから、その測定結果と、大きな光量を有する環境光下の実使用環境とにおいて誤差が生じるとの問題を有していた。
【発明の開示】
【発明が解決しようとする課題】
【０００５】
本発明は、上記従来の光量測定器の有する問題点に鑑み、屋外で、かつ環境光を遮断することなく、また、実使用環境下における赤外信号光量の測定を可能とした赤外線投光量の測定方法を提供することを目的とする。
【課題を解決するための手段】
【０００６】
上記目的を達成するため、本発明の赤外線投光量の測定方法は、赤外線、紫外線、可視光線等の複合した光線を含む環境光と、赤外線発光ダイオード等の検体から発する赤外線のみとした赤外信号光とを、光の波長と赤外信号周波数とに電気的に分離して赤外信号光のみを取り出し、その光量を測定するようにしたことを特徴とする。
【０００７】
この場合において、環境光と赤外信号光を、赤外受光フォトダイオード又は赤外受光フォトトランジスタにて赤外信号用の赤外線のみを抽出し、これを電圧に変換して赤外信号光の光量を測定することができる。
【発明の効果】
【０００８】
本発明の赤外線投光量の測定方法によれば、赤外線、紫外線、可視光線等の複合した光線を含む環境光と、赤外線発光ダイオード等の検体から発する赤外線のみとした赤外信号光とを、光の波長と赤外信号周波数とに電気的に分離して赤外信号光のみを取り出し、その光量を測定するようにすることにより、赤外信号光の光量より遙かに大きな光量を有する屋外などの明るい環境光下でも簡易に外線発光ダイオード等の赤外信号光の光量を測定することができる。
【０００９】
また、環境光と赤外信号光を、赤外受光フォトダイオード又は赤外受光フォトトランジスタにて赤外線のみを抽出し、これを電圧に変換して赤外信号光の光量を測定するようにすることにより、表示部に電圧のレベル値により表示できるので、赤外信号光の光量測定結果を屋外でも正確に把握することができる。
【発明を実施するための最良の形態】
【００１０】
以下、本発明の赤外線投光量の測定方法の実施の形態を、図面に基づいて説明する。
【実施例１】
【００１１】
図１に本発明の赤外線投光量の測定方法の一実施例を示す。
本発明の赤外線投光量の測定方法は、環境光と同時に赤外線発光ダイオード等の検体から発する赤外線を受光するようにした赤外受光フォトダイオード１（又は赤外受光フォトトランジスタ）等の検出部Ａと、検出部Ａでの受光波形から赤外受光フォトダイオード１のみの周期的な赤外線信号の波形を分離して取り出すようにしたバンドパス部Ｂと、この周期的な赤外線信号の波形を増幅するようにした増幅部Ｃと、赤外線信号を赤外線信号電圧として保持するようにしたピークホールド部Ｄと、これを電圧の大小にて表示するようにした表示部Ｅとより構成される。
【００１２】
屋外などの明るい環境光下に配設された検体としての赤外線発光ダイオード等を点灯することで、該検体から発する赤外信号光は、これよりも遙かに多くの赤外線、紫外線、可視光線を含む環境光とともに、検出部Ａの赤外受光フォトダイオード（又は赤外受光フォトトランジスタ）１にて受光し、赤外信号光が検出される。
この赤外信号光と環境光とが合成された受光波形は、図３（Ａ）に示すように、太陽光、人工光とにより異なるが、一定値の環境光の波形に、赤外線発光ダイオード等から発光される赤外線信号波形が組み合わされ、環境光波形に赤外線信号波形が重乗された赤外線信号となっている。
【００１３】
この環境光波形に赤外線信号波形が重乗された波形として検出された赤外線信号は、次のバンドパス部Ｂの回路において、赤外線発光トダイオード等から発光される周期的な赤外線信号の波形のみを分離して取り出す。次にこの周期的な赤外線信号の波形を、図３（Ｂ）に示すように、増幅部Ｃの回路にて増幅する。
この増幅して取り出された周期的な赤外線信号の波形をピークホールド部Ｄに投入することで赤外線信号電圧を保持することができ、この保持電圧に応じて表示部Ｅにて表示するようにする。
【００１４】
これにより、赤外線、紫外線、可視光線を含む大光量の明るい野外等の環境光下においても、赤外線発光ダイオード等の検体の発光を、赤外受光フォトダイオードにて受光し、これから周期的な赤外線信号の波形として分離して取り出し、これを電圧に変換して表示部Ｅにて表示するので、明るい野外等の実使用環境と同じ状況下で簡易に検体の光量測定を行うことができる。
また、表示部Ｅにて電圧のレベル値により表示できるので、赤外信号光の光量測定結果を屋外でも正確に把握することができる。
【００１５】
図２は、上記実施例において、バンドパス部Ｂの回路に、Ａ／Ｄ変換回路Ｆを挿入したもので、他の回路構成、作用は同じである。
【００１６】
以上、本発明の赤外線投光量の測定方法について、実施例に基づいて説明したが、本発明は上記実施例に記載した構成に限定されるものではなく、その趣旨を逸脱しない範囲において適宜その構成を変更することができるものである。
【産業上の利用可能性】
【００１７】
本発明の赤外線投光量の測定方法は、検体からの受光波形を周期的な赤外線信号の波形として分離して取り出し、この周期的な赤外線信号を増幅し、かつこれを外線信号電圧として保持し、電圧の大小にて表示するという特性を有していることから、主として赤外線通信に使用する赤外線発光ダイオード等の赤外信号光の光量測定の用途に好適に用いることができるほか、例えば、インジケータ用、信号機灯用として使用する赤外線発光ダイオード等の光量測定の用途にも用いることができる。
【図面の簡単な説明】
【００１８】
【図１】本発明の赤外線投光量の測定方法の一実施例を示す回路図である。
【図２】変形実施例のフローチャートである。
【図３】本発明の赤外線投光量の測定方法における波形図で、（Ａ）は検出部での受光波形図、（Ｂ）は増幅部で増幅した周期的な赤外線信号の波形図である。
【符号の説明】
【００１９】
Ａ  検出部
Ｂ  バンドパス部
Ｃ  増幅部
Ｄ  ピークホールド部
Ｅ  表示部
Ｆ  Ａ／Ｄ変換回路
１  赤外受光フォトダイオード（又は赤外受光フォトトランジスタ）
【図１】
2006098196.tif 000003
【図２】
2006098196.tif 000004
【図３】
2006098196.tif 000005